(57)【要約】      （修正有）【課題】透明な樹脂袋で、又は、ラミネートの縁４面に図柄を印刷等で絵付けし、その中に写真が収まるファッションフレームポケットを提供する。【解決手段】本考案は、ラミネート又は写真を入れる透明な合成樹脂の薄い袋を設け、その薄い袋の一辺が開口した表面の平滑な面の周囲４面の縁部のように、各種の図柄に写真を挿入し、そのファッションフレームポケット７をポケットアルバムに収めた構成になっている。【選択図】図１
0003202503.tif 000002
【実用新案登録請求の範囲】
【請求項１】
アルバム１を設け、そのアルバム１のアルバムポケットの中に、写真６が入る透明の合成樹脂製の１辺が開口した薄い袋３の表面の４辺の縁部４に幅４ｍｍ以下の枠に幾何学模様等の絵柄５を印刷等で絵付けし、その印刷等で絵付けされた透明の１辺が開口した樹脂袋３の内部に写真６等を挿入したファッショナブルな縁に囲まれたことを特徴とするファッションフレーム。
【請求項２】
本考案のファッションフレームは、ラミネートの上部４辺の縁部に、請求項１同様に印刷等で模様付けするが、ファッションフレームポケットより数ミリサイズが大きいのと写真とフレームのズレによりすきまが生じるのを防ぐ為にフレーム幅を５〜７ｍｍ程度とすることを特徴とするファションフレーム。
【請求項３】
本考案のファッションフレームは、写真が挿入できる透明で樹脂製の袋で、長方形の写真を挿入する一辺が開口にしており、その袋の表面４辺の縁に４ｍｍ以下の幅のファッション性季節感のある模様を付け、又は、ラミネートフイルム表面４辺の縁部に５〜７ｍｍの幅でファッション性のある、又季節感のある模様をデザインする請求項１又は請求項２記載のファッションフレーム。
【請求項４】
本考案のファッションフレームは、写真を挟み込むフリー台紙のアルバムにも使用できる請求項１又は請求項２に記載のファッションフレーム。
【考案の詳細な説明】
【技術分野】
【０００１】  本考案は、透明な樹脂袋の平滑な面、又はラミネートフイルムの縁の周囲４辺に各種の模様、季節感，躍動感を与える図柄を印刷等で絵付けし、その中に写真を入れたファッションフレーム（ポケット）、又はファッションフレーム（ラミネート）に関するものである。
【背景技術】
【０００２】  以前の白黒写真は白い余白が縁となり写真の演出，情緒、ぬくもり感さえ味わえた、カラー写真になってからは切り落としにより多少の物足りなさを感じた。商品化にはならなかったがフイルム自体にデザイン化したファッションフイルムを考案したが、技術的にフレームの輪郭が鮮明とならない欠点があった。、
【考案の概要】
【考案が解決しようとする課題】
【０００３】  近来写真の縁の切り落としが主流だが、多少の味気なさを覚えても不思議ではない、透明のカバーの四辺をファッション化し、そのフレームが写真の縁に一体化することにより、写真の演出を楽しむことを目的とする。
【課題を解決するための手段】
【０００４】  上述の如き近年主流の切り落としを前提としない写真をファッション化することにより、写真それぞれの楽しさがあるが、あくまでファッションフレーム（ポケット）は写真を引き立てる役目であるので、フレーム幅を４ｍｍ以下としてポケットアルバムに収まるのと写真と一体化する。しかし、ファッションフレーム（ラミネート）はサイズが大きくアルバムは適さないのと写真とフレームのズレによる隙間をなくす為に５〜７ｍｍ程度のフレーム幅とするが、双方いずれも写真の演出不足を解決している。
【考案の効果】
【０００５】  本考案は、写真を透明で樹脂製の袋に挿入、又はラミネートにはさみ込むが、双方とも写真の４辺の縁に絵付けしたフレームが写真と一体化してフレーム内に写真がピタリと収まることを特徴とするファッションフレーム。
【図面の簡単な説明】
【０００６】
【図１】ファッションフレーム（ポケット）の全体の平面図である。
【図２】ファッションフレーム（ポケット）の樹脂製の右側面図である。
【図３】ファッションフレーム（ポケット）の樹脂袋に印刷等で絵付けさされた平面図である。
【図４】ファッションフレーム（ポケット）を実施使用説明図である。
【図５】ファッションフレーム（ポケット）の他の実施使用説明図である。
【図６】ファッションフレーム（ポケット）の樹脂袋に印刷等で絵付けされた各種絵柄ファッションフレームの樹脂袋。
【考案を実施するため形態】
【０００７】  本考案は、ラミネート又は透明な合成樹脂の袋を設け、その薄い袋の一辺が開口した表面の平滑な面の周囲４面の縁部に各種の図柄又は幾何学的な絵等を写真が透けない工法で絵付けし、そのラミネート又は透明な袋に写真を入れた構成になっている。
【符号の説明】
【０００８】  １  アルバム
２  ポケット
３  ラミネートフイルム又は透明の合成樹脂の薄い袋（クリアポケット）
４  縁部
５  絵柄
６  写真
７  ファッションフレーム
【図１】
0003202503.tif 000003
【図２】
0003202503.tif 000004
【図３】
0003202503.tif 000005
【図４】
0003202503.tif 000006
【図５】
0003202503.tif 000007
【図６】
0003202503.tif 000008
【手続補正書】
【提出日】平成27年11月5日(2015.11.5)
【手続補正１】
【補正対象書類名】実用新案登録請求の範囲
【補正対象項目名】全文
【補正方法】変更
【補正の内容】
【実用新案登録請求の範囲】
【請求項１】
アルバム１を設け、そのアルバム１のアルバムポケットの中に、写真６が入る透明の合成樹脂製の１辺が開口した薄い袋３の表面の４辺の縁部４の枠に幾何学模様等の絵柄５を絵付けし、その絵付けされた透明の１辺が開口した樹脂袋３の内部に写真６等を挿入したファッショナブルな縁に囲まれたことを特徴とするファッションフレームポケット。
【請求項２】
ファッションフレームポケットは、写真が挿入できる透明で樹脂製の袋で、長方形の写真を挿入する一辺が開口にしており、その袋の表面４辺の縁にファッション性のある模様を付けた請求項１記載のファッションフレームポケット。
【請求項３】
ファッションフレームポケットは、写真を挟み込むフリー台紙のアルバムにも写真を挿入したファッションフレームポケットを挟み込める請求項１記載のファッションフレームポケット。
【手続補正２】
【補正対象書類名】明細書
【補正対象項目名】全文
【補正方法】変更
【補正の内容】
【考案の詳細な説明】
【技術分野】
【０００１】  本考案は、透明な樹脂袋の平滑な面の縁の周囲４辺に各種の模様の図柄を絵付けし、その中に写真を入れたファッションフレームポケットに関するものである。
【背景技術】
【０００２】  以前の白黒写真は白い余白が縁となり写真の演出，情緒、ぬくもり感さえ味わえた、カラー写真になってからは切り落としにより多少の物足りなさを感じた。商品化にはならなかったがフイルム自体にデザイン化したファッションフイルムを考案したが、技術的にフレームの輪郭が鮮明とならない欠点があった。
【考案の概要】
【考案が解決しようとする課題】
【０００３】  近来写真の縁の切り落としが主流だが、多少の味気なさを覚えても不思議ではない、透明のカバーの四辺をファッション化し、そのフレームが写真の縁に一体化することにより、写真の演出を楽しむことを目的とする。
【課題を解決するための手段】
【０００４】  上述の如き近年主流の切り落としを前提としない写真をファッション化することにより、写真それぞれの楽しさがあるが、あくまでファッションフレームポケットは写真を引き立てる役目であるので、ポケットアルバムに収まるのと写真と一体化し、写真の演出不足を解決している。
【考案の効果】
【０００５】  写真を透明で樹脂製の袋に挿入し、絵付けしたフレームが写真と一体化してフレーム内に写真がピタリと収まることを特徴とするファッションフレームポケット。
【図面の簡単な説明】
【０００６】
【図１】ファッションフレームポケットの全体の平面図である。
【図２】ファッションフレームポケットの樹脂製の右側面図である。
【図３】ファッションフレームポケットの樹脂袋に絵付けされた平面図である。
【図４】ファッションフレームポケットを実施使用説明図である。
【図５】ファッションフレームポケットの他の実施使用説明図である。
【図６】ファッションフレームポケットの樹脂袋に絵付けされた各種絵柄ファッションフレームの樹脂袋。
【考案を実施するため形態】
【０００７】  本考案は、透明な合成樹脂の袋を設け、その薄い袋の一辺が開口した表面の平滑な面の周囲４面の縁部に各種の図柄又は幾何学的な絵等を写真が透けない工法で絵付けしその透明な袋に写真を入れた構成になっている。
【符号の説明】
【０００８】  １  アルバム
２  アルバムポケット
３  透明の合成樹脂の薄い袋（クリアポケット）
４  縁部
５  絵柄
６  写真
７  ファッションフレームポケット
【手続補正３】
【補正対象書類名】図面
【補正対象項目名】図１
【補正方法】変更
【補正の内容】
【図１】
0003202503.tif 000009